(57)【特許請求の範囲】
【請求項１】
設置面の支柱配置予定位置に支柱を複数立設し、固定具を用いて該支柱を固定する支柱固定方法であって、
該固定具は、該支柱に装着された際に該支柱に対して回動可能な筒状の支柱保持部と、該支柱保持部に連結され地中に打ち込まれる打込み杭を保持する杭保持部とを備え、
各支柱を該設置面の支柱配置予定位置に立設する工程と、
各支柱の上端の少なくとも１点を結んで仮想面を形成するように、各支柱の下部を地中に埋設する工程と、
埋設された各支柱に対して、該固定具の該支柱保持部を該支柱の上端側から装着し、該固定具を該支柱を中心に回動させて該杭保持部を所望の方向に向けた状態で配置する工程とを行った後に、
各支柱について配置された該固定具を該支柱に固定する工程、及び各支柱について該打ち込み杭を該杭保持部に挿通させて地中に打ち込み該固定具を該設置面に対して固定する工程を順不同で行うことを特徴とする支柱固定方法。
【請求項２】
設置面の支柱配置予定位置に支柱を複数立設し、固定具を用いて該支柱を固定する支柱固定方法であって、
該固定具は、該支柱に装着された際に該支柱に対して回動可能な筒状の支柱保持部と、該支柱保持部に連結され地中に打ち込まれる打込み杭を保持する杭保持部とを備え、
各固定具の該支柱保持部を該設置面の支柱配置予定位置に配置する工程と、
各支柱保持部に各支柱を下端側から挿入し、各支柱を該支柱配置予定位置に立設する工程と、
各支柱の天面上の少なくとも１点を結んで仮想面を形成するように、各支柱の下部を地中に埋設する工程と、
各支柱について、該固定具を該支柱を中心に回動させることにより、該支柱保持部の外周面に設けられ打ち込み杭を保持する中空筒状の杭保持部を所望の方向に向けた状態で配置する工程とを行った後に、
各支柱について配置された該固定具を該支柱に固定する工程、及び各支柱について該打ち込み杭を該杭保持部に挿通させて地中に打ち込み該固定具を該設置面に対して固定する工程を順不同で行うことを特徴とする支柱固定方法。
【発明の詳細な説明】
【技術分野】
【０００１】
本発明は、設置面の支柱配置予定位置に支柱を複数立設して固定する支柱固定方法及びそれに用いられる固定具に関する。
【背景技術】
【０００２】
近年、大量の太陽電池パネルを休耕農地等に設置して発電を行う、いわゆるメガソーラーの設置が行われるようになっている。
【０００３】
一般に、前記太陽電池パネルを設置する設備としては、該太陽電池パネルを支持するための２以上の脚部を備える組み立て式の架台が知られている。前記架台は、設置面に対向する底面は水平に形成され、太陽電池パネルが載置される上端は太陽光発電を効率よく行うことが可能な所定の傾斜角度に形成されている。
【０００４】
従来、前記架台を固定具を用いて設置面に固定する方法として、組み立て前の架台の脚部に固定具の脚保持部を装着し、該脚部を設置面に埋設した後に架台を組み立て、その後、打込み杭を固定具の杭保持部に挿通させて地中に打ち込む方法が知られている（例えば、特許文献１参照）。
【先行技術文献】
【特許文献】
【０００５】
【特許文献１】特開２０１３−２２７７６７号公報
【発明の概要】
【発明が解決しようとする課題】
【０００６】
上記特許文献１に記載の方法は、架台の脚部を埋設する際に、寸法精度のよい架台を利用して、作業現場で架台を組み立てながら脚部を埋設する位置を決定することにより、脚部の正確な寸法出しを容易に行うことができる。
【０００７】
一方で、山林等の傾斜地に太陽電池パネルを設置する場合は、傾斜のついた架台は不要となる場合があり、そのような場合は上記工法を利用することができない。
【０００８】
また、通常、傾斜地に何らかの設備を設置する場合は、傾斜地を整地した後に設備を設置する必要があるが、傾斜地の傾斜角度が所定値（例えば２０°）を超えると、作業現場に重機を乗り入れることができなくなるため、重機を使った整地作業を行うことができない。また、コンクリートの基礎を打設する場合であっても、傾斜角度が大きいとコンクリートミキサー車の乗り入れができないこともあり、作業は容易ではない。
【０００９】
本発明は、太陽電池パネル等の設置物を載置する支柱を傾斜地に立設する場合であっても、容易に立設が可能であり、且つ迅速に作業を行うことができる支柱の固定方法を提供することを目的とする。
【課題を解決するための手段】
【００１０】
前記目的を達成するために、第１発明は、設置面の支柱配置予定位置に支柱を複数立設し、固定具を用いて該支柱を固定する支柱固定方法であって、該固定具は、該支柱に装着された際に該支柱に対して回動可能な筒状の支柱保持部と、該支柱保持部に連結され地中に打ち込まれる打込み杭を保持する杭保持部とを備え、各支柱を該設置面の支柱配置予定位置に立設する工程と、各支柱の上端の少なくとも１点を結んで仮想面を形成するように、各支柱の下部を地中に埋設する工程と、埋設された各支柱に対して、該固定具の該支柱保持部を該支柱の上端側から装着し、該固定具を該支柱を中心に回動させて該杭保持部を所望の方向に向けた状態で配置する工程とを行った後に、各支柱について配置された該固定具を該支柱に固定する工程、及び各支柱について該打込み杭を該杭保持部に挿通させて地中に打ち込み該固定具を該設置面に対して固定する工程を順不同で行うことを特徴とする。
【００１１】
第１の発明の支柱固定方法では、支柱を固定する固定具を用いる。この固定具は、支柱に装着された際に該支柱に対して回動可能な筒状の支柱保持部と、該支柱保持部に連結され地中に打ち込まれる打込み杭を保持する杭保持部とを備えている。
【００１２】
第１発明の支柱固定方法は、まず、各支柱を設置面の支柱配置予定位置に立設する。その際、この種の工法で通常行われている墨出しを行って支柱配置予定位置を決定することができる。
【００１３】
次に、各支柱の上端の少なくとも１点を結んで仮想面を形成するように、各支柱の下部を地中に埋設する。この仮想面は、設置物の底面（太陽電池パネルであれば、その裏面）が載置される面となる。この仮想面を形成する工程は、測量機器のレベル等を用いて各支柱の上端の高さ合わせを行うことにより行われる。
【００１４】
このとき、前記設置面が平地に限らず、傾斜地であったり、凹凸部を備える場合であっても、支柱の地中への埋設深さを調整することにより、各支柱の天面上の少なくとも１点を結んで仮想面を形成することができる。前記仮想面は、水平であってもよく、水平面に対して任意の角度で傾斜していてもよい。また、前記仮想面は、必ずしも平面である必要はなく、段差があってもよく、曲面であってもよい。
【００１５】
次に、埋設された各支柱に対して、該固定具の該支柱保持部を該支柱の上端側から装着し、該固定具を該支柱を中心に回動させて該杭保持部を所望の方向に向けた状態で配置する。
【００１６】
この固定具を回動させる工程は、支柱保持部と支柱とを固定する前、或いは打込み杭を杭保持部に挿通させて地中に打ち込む前に行われればよい。また、本工程には、固定具を支柱に装着する前に予め角度を決めた場合、即ち、支柱に対して固定具を回動させた後に支柱に装着する場合も含まれる。
【００１７】
次に、各支柱について配置された固定具を該支柱に固定する工程を行い、その後、各支柱について打込み杭を杭保持部に挿通させて地中に打ち込み固定具を設置面に対して固定する工程を行う。或いは、各支柱について打込み杭を杭保持部に挿通させて地中に打ち込み固定具を設置面に対して固定する工程を行い、その後各支柱について配置された固定具を支柱に固定する工程を行う。これら２つの工程は、作業現場における状況に応じて、順不同に行うことができる。
【００１８】
第１発明の支柱固定方法によれば、設置面の支柱配置予定位置に立設した各支柱を所望の量だけ地中に打ち込むだけで、各支柱の上端による仮想面を形成することができる。また、各支柱の固定は、固定具に打込み杭を打ち込み、支柱保持部と支柱とを固定すればよい。よって、各支柱の固定の際に、設置面の整地の必要がないので重機等も必要ない。
【００１９】
従って、第１発明の支柱固定方法によれば、平地のみならず急な傾斜地においても、容易且つ迅速に、複数の支柱を設置面に立設して固定することができる。
【００２０】
また、前記目的を達成するために、第２発明は、設置面の支柱配置予定位置に支柱を複数立設し、固定具を用いて該支柱を固定する支柱固定方法であって、該固定具は、該支柱に装着された際に該支柱に対して回動可能な筒状の支柱保持部と、該支柱保持部に連結され地中に打ち込まれる打込み杭を保持する杭保持部とを備え、各固定具の該支柱保持部を該設置面の支柱配置予定位置に配置する工程と、各支柱保持部に各支柱を下端側から挿入し、各支柱を該支柱配置予定位置に立設する工程と、各支柱の天面上の少なくとも１点を結んで仮想面を形成するように、各支柱の下部を地中に埋設する工程と、各支柱について、該固定具を該支柱を中心に回動させることにより、該支柱保持部の外周面に設けられ打込み杭を保持する中空筒状の杭保持部を所望の方向に向けた状態で配置する工程とを行った後に、各支柱について配置された該固定具を該支柱に固定する工程、及び各支柱について該打込み杭を該杭保持部に挿通させて地中に打ち込み該固定具を該設置面に対して固定する工程を順不同で行うことを特徴とする。
【００２１】
第２発明の支柱固定方法においても、第１発明と同一の固定具を用いる。第２発明の支柱固定方法は、まず、各固定具の支柱保持部を設置面の支柱配置予定位置に配置する。次に、各支柱保持部に各支柱を下端側から挿入し、各支柱を支柱配置予定位置に立設する。
【００２２】
次に、各支柱の天面上の少なくとも１点を結んで仮想面を形成するように、各支柱の下部を地中に埋設する。このとき、支柱の地中への埋設深さを調整することにより、各支柱の天面上の少なくとも１点を結んで仮想面を形成することができ、この仮想面は、設置物の底面が載置される面となる。
【００２３】
次に、各支柱について、固定具を該支柱を中心に回動させることにより、支柱保持部の外周面に設けられ打込み杭を保持する中空筒状の杭保持部を所望の方向に向けた状態で配置する。
【００２４】
次に、各支柱について配置された固定具を該支柱に固定する工程を行い、その後、各支柱について打込み杭を杭保持部に挿通させて地中に打ち込み固定具を設置面に対して固定する工程を行う。或いは、各支柱について打込み杭を杭保持部に挿通させて地中に打ち込み固定具を設置面に固定する工程を行い、その後各支柱について配置された固定具を支柱に固定する工程を行う。これら２つの工程は、作業現場における状況に応じて、順不同に行うことができる。
【００２５】
第２発明の支柱固定方法によれば、まず、固定具の支柱保持部を設置面の支柱配置予定位置に配置するため、固定具を支柱を立設する際の目印として用いることができ、作業が容易となる。また、第1発明と同様に、設置面の支柱配置予定位置に立設した各支柱を所望の量だけ地中に打ち込むだけで、各支柱の上端による仮想面を形成することができる。また、各支柱の固定は、固定具に打込み杭を打ち込み、支柱保持部と支柱とを固定すればよい。よって、設置面の整地の必要がないので重機等も必要ない。
【００２６】
従って、第２発明の支柱固定方法によれば、平地のみならず急な傾斜地においても、容易且つ迅速に、複数の支柱を設置面に立設して固定することができる。
【００２７】
第１発明又は第２発明の支柱固定方法によって立設された前記複数の支柱は、各支柱の上端によって１つの仮想面が形成されているので、前記仮想面の水平面に対する傾斜角度を所定の傾斜角度に設定することにより、前記仮想面上に設置物としての太陽電池パネルを載置するのに好適である。
【００２８】
また、第１発明又は第２発明の支柱固定方法には、設置面の支柱配置予定位置に立設される支柱を固定する固定具であって、該支柱に装着された際に該支柱に対して回動可能な筒状の支柱保持部と、該支柱保持部に連結され地中に打ち込まれる打込み杭を保持する杭保持部とを備え、該支柱保持部は横断面が円形である内周面を備え、該杭保持部が該支柱保持部の外周面に固定されていることを特徴とする固定具を好適に用いることができる。
【００２９】
本発明の固定具によれば、支柱に装着されたときに支柱保持部が支柱の軸方向に移動可能であるので、支柱の軸方向の任意の位置で支柱を固定することができる。
【００３０】
また、前記固定具によれば、支柱保持部は横断面が円形である内周面を有しているので、支柱に装着されたときに支柱保持部が支柱を中心として回動可能であり、杭保持部を所望の方向に向けることができる。これにより、地中に打込み杭の打ち込みを妨害する石等の障害物がある場合であっても、該障害物を避けて該打込み杭を地中に打ち込むことができ、設置面に対して固定具を確実に固定することができる。
【００３１】
また、杭保持部が支柱保持部の外周面に固定されており、支柱保持部と杭保持部との距離が近いため、支柱の近傍に打込み杭を打ち込むことができる。
【００３２】
仮に、支柱保持部と杭保持部との間に距離があると、傾斜地に支柱を固定する際に、杭保持部を支柱保持部の上方に配置しなければならないときは、支柱保持部の下面が地表から離れた位置になる。
【００３３】
特に、杭保持部が支柱保持部を挟んで少なくとも２か所に設けられている場合、地表から離れている側の杭保持部と地表との距離が離れてしまい、打込み杭が効かなくなるおそれもある。
【００３４】
しかしながら、支柱保持部と杭保持部との距離が近いと、地表から離れている側の杭保持部と地表との距離も近くなるので、有効に打込み杭を打つことができる。
【図面の簡単な説明】
【００３５】
【図１】本実施形態の支柱固定方法に用いる固定具の構成を示す斜視図。
【図２】本実施形態の支柱固定方法に用いる固定具の構成を示す図であり、（ａ）は正面図であり、（ｂ）は平面図であり、（ｃ）は右側面図である。
【図３】本実施形態の支柱固定方法を示す図であり（ａ）は傾斜地に支柱を立設する工程、（ｂ）は支柱に固定具を装着する工程、（ｃ）は固定具に打込み杭を打ち込む工程、（ｄ）は太陽電池パネルを支柱に載置した状態を示す説明図である。
【図４】第１実施形態の支柱固定方法を示すフローチャート。
【図５】第２実施形態の支柱固定方法を示すフローチャート。
【発明を実施するための形態】
【００３６】
次に、添付の図面を参照しながら本発明の実施の形態についてさらに詳しく説明する。
【００３７】
図１及び図２は、本実施形態の支柱固定方法に用いる固定具である。この固定具１は、図３に示す設置面Ｇの支柱配置予定位置Ｘに立設され設置物を支持する複数の支柱Ｐを設置面Ｇに固定するために用いられる。
【００３８】
支柱Ｐは、本実施形態ではステンレス製の中空円筒状の単管を用いているが、素材は任意のものを用いてもよく、形状は角筒状であってもよく、中空でなくてもよい。また、打込み杭Ｓも同様にステンレス製の円筒管を用いているが、素材、形状ともに任意のものを用いることができる。
【００３９】
固定具１は、挿入される支柱Ｐを保持する中空円筒状の支柱保持部２と、支柱保持部２の外周面に固定され、支柱保持部２の軸方向に対して２０〜６０°の所定の角度で傾斜し、打込み杭Ｓが挿入される複数の杭保持部３とを備える。この杭保持部３の角度は任意に設定することができる。
【００４０】
支柱保持部２は、その内周面と挿入される支柱Ｐの外周面との間に間隙を存するように形成されていることにより、支柱Ｐに装着したときに遊びがある状態となって、支柱Ｐの軸方向に移動可能であるとともに支柱Ｐを中心として回動可能となっている。
【００４１】
支柱保持部２の軸方向の中間部には支柱保持部用ボルト孔４が設けられ、支柱保持部用ボルト孔４に図示しないボルトをねじ込むことにより固定具１と支柱Ｐとを固定することができる。
【００４２】
杭保持部３は、支柱保持部２の外周面に、支柱保持部２の軸方向の中心軸線に対して対称となるように配設され、本実施形態では支柱保持部２を挟んで対角線上に２か所設けられている。杭保持部３の軸方向の中間部には杭保持部用ボルト孔５が設けられ、杭保持部用ボルト孔５に図示しないボルトをねじ込んで固定具１と打込み杭Ｓとを固定することができる。
【００４３】
杭保持部３は、本実施形態では支柱保持部２を挟んで２か所に設けられているが、支柱保持部２の周囲１２０°毎に３か所設けてもよく、支柱保持部２の周囲９０°毎に４か所設けてもよい。
【００４４】
杭保持部３は、打込み杭Ｓを地中に打ち込む際に、地中に前記所定の角度で傾斜させて打ち込めるように案内する役割を果たすとともに、隣り合う打込み杭Ｓの干渉を防ぐことができる。
【００４５】
本実施形態では、固定具１は支柱保持部２と杭保持部３とを一体として鋳造することにより形成されている。一方で、支柱保持部２と杭保持部３とをステンレスや鉄のパイプ等を利用して溶接等により形成することもできる。
【００４６】
次に、図３及び図４を参照しながら第１実施形態の支柱固定方法について説明する。ここでは、支柱Ｐで支持される太陽電池パネルＳＰを山林等の傾斜地に設置する場合について説明する。傾斜地の傾斜はほぼ２０°であり、太陽電池パネルＳＰの傾斜に適しているため、本実施形態では傾斜地とほぼ平行に太陽電池パネルＳＰを設置する。
【００４７】
まず、太陽電池パネルＳＰの設置場所で測量を行い、墨出しすることにより、設置面Ｇに支柱配置予定位置Ｘを印付けする。また、図３（ａ）に示すように、支柱Ｐの上端Ｐｂの地表からの高さを明らかにするために、太陽電池パネルＳＰの設置角度θに合わせて糸Ｌを張っておく（図４のＳＴ１）。
【００４８】
次に、図３（ａ）に示すように、支柱Ｐをハンマー等により地中に打ち込むことにより立設する（ＳＴ２）。
【００４９】
支柱Ｐの下部Ｐａの地中への打ち込み量は、支柱Ｐの上端Ｐｂが糸Ｌの高さとなるように各支柱ごとに調節する（ＳＴ３）。このＳＴ２及びＳＴ３の作業を繰り返し、太陽電池パネルＳＰの設置に必要な本数の支柱Ｐを支柱の配置予定位置に打ち込む。これらの一連の作業により、複数の支柱Ｐの上端Ｐｂが、太陽電池パネルＳＰを設置するための仮想面を形成する高さに埋設される。
【００５０】
次に、図３（ｂ）に示すように、各支柱Ｐについて、上端Ｐｂ側から固定具１の支柱保持部２を装着する。そして、固定具１を支柱Ｐの下方に向かって移動させて設置面Ｇ上に配置する（ＳＴ４）。
【００５１】
次に、地中に打込み杭Ｓの打ち込みの障害となるような石Ｒ等がある場合には、固定具１を支柱Ｐを中心に回動させることにより、このような障害物を避けるように、杭保持部３の向きを調整する（ＳＴ５）。
【００５２】
次に、各支柱Ｐに装着された固定具１を、支柱保持部用ボルト孔４に図示しないボルトをねじ込んで、固定具１と支柱Ｐとを固定する（ＳＴ６）。このとき、固定具１を支柱Ｐの上方にずらして設置しなければ打込み杭Ｓを打つことができない場合には、固定具１を設置面Ｇからすこし離して支柱Ｐに固定することもできる。
【００５３】
次に、図３（ｃ）に示すように、各支柱Ｐについて、打込み杭Ｓを固定具１の杭保持部３に挿通させて地中に打ち込み、さらに必要に応じて、杭保持部用ボルト孔５に図示しないボルトをねじ込んで固定具１と打込み杭Ｓとを固定することにより、設置面Ｇに対して固定具１を固定する（ＳＴ７）。このとき、ＳＴ６とＳＴ７は、設置場所の状況に応じてどちらのステップを先に行ってもよい。
【００５４】
その後、支柱Ｐの上端Ｐｂによって形成される仮想面に、図示しないブラケット等を用いて太陽電池パネルＳＰを設置する。
【００５５】
このように、第１実施形態の支柱固定方法によれば、複数の支柱Ｐを設置面Ｇの各支柱配置予定位置Ｘに立設して固定具１を用いて固定したときに、各支柱Ｐの上端Ｐｂによって仮想面を形成することができる。
【００５６】
第１実施形態においては、前記仮想面として、水平面に対して前記パネルＳＰを設置する所定の角度θに傾斜する傾斜面を形成することができる。そして、前記仮想面を構成する複数の支柱Ｐには、従来技術の架台を使用することなく、設置物としての太陽電池パネルＳＰを搭載することができる。
【００５７】
第１実施形態の支柱固定方法によれば、設置面Ｇの整地の必要がないので重機等も必要なく、平地のみならず急な傾斜地においても、容易且つ迅速に、複数の支柱Ｐを設置面Ｇに立設して固定することができる。
【００５８】
よって、メガソーラーのように、大量の太陽電池パネルＳＰを設置しなければならない場合であっても、第１実施形態の支柱固定方法であれば、作業コスト及び材料コストを抑えて容易に大量の太陽電池パネルＳＰを設置することができる。
【００５９】
また、本実施形態では、コンクリートの打設は不要であるので、支柱を撤去する際にもコンクリートの処理は不要であるため、撤去作業も容易となる。また、支柱、固定具及び打込み杭を撤去した後、これらの部材を再利用して他の設置場所に支柱等を移設することも可能である。
【００６０】
次に、図５を参照しながら第２実施形態の支柱固定方法について説明する。第１実施形態の支柱固定方法と共通する部分については説明を省略する。
【００６１】
まず、第１実施形態の支柱固定方法におけるＳＴ１と同様に、設置面Ｇに支柱配置予定位置Ｘを印付けし、太陽電池パネルＳＰを設置する高さにおいて、水平面に対して該パネルＳＰを設置する所定の角度θに傾斜する傾斜面に相当するように、糸Ｌを張る（ＳＴ１１）。
【００６２】
次に、支柱配置予定位置Ｘに固定具１を配置する（ＳＴ１２）。このとき、支柱配置予定位置Ｘと固定具１の支柱保持部２の軸中心とが一致するように固定具１を配置する。
【００６３】
次に、各固定具１の支柱保持部２に支柱Ｐを下端Ｐｃ側から挿入し、支柱配置予定位置Ｘに各支柱Ｐを立設する（ＳＴ１３）。
【００６４】
次に、各支柱Ｐの上端Ｐｂをハンマー等で打って支柱Ｐの下部Ｐａを地中に埋設することにより、各支柱Ｐの上端Ｐｂを糸Ｌと同じ高さに揃える（ＳＴ１４）。これにより、各支柱Ｐの上端Ｐｂを結んだ仮想面が形成される。
【００６５】
次に、各支柱Ｐにおいて、固定具１を支柱Ｐを中心に回動させることにより、打込み杭Ｓの打ち込みを妨害する石等の障害物を避けるように、杭保持部３の向きを調整する（ＳＴ１５）。
【００６６】
次に、第１実施形態の支柱固定方法におけるＳＴ６と同様に、各支柱Ｐに装着された固定具１と支柱Ｐとを固定する（ＳＴ１６）。
【００６７】
次に、第１実施形態の支柱固定方法におけるＳＴ７と同様に、各支柱Ｐについて、打込み杭Ｓを固定具１の杭保持部３に挿通させて地中に打ち込み、さらに必要に応じて図示しないボルトで固定具１と打込み杭Ｓとを固定することにより、設置面Ｇに対して固定具１を固定する（ＳＴ７）。なお、ＳＴ１６とＳＴ７とは順不同に行うことができる。
【００６８】
第２実施形態の支柱固定方法によれば、まず、固定具１を支柱配置予定位置Ｘに配置するため、その後に支柱を立設する際に、固定具１を目印として使用することができる。このとき、固定具１に対して打込み杭Ｓを仮に打ち込み、固定具１を位置決めすることもできる。
【００６９】
また、第２実施形態によれば、第１実施形態の支柱固定方法と同様に、図３に示すように、複数の支柱Ｐを設置面Ｇの各支柱配置予定位置Ｘに立設して固定具１を用いて固定したときに、各支柱Ｐの上端Ｐｂによって１つの仮想面することができる。そして、前記仮想面を構成する複数の支柱Ｐには、従来技術の架台を使用することなく、設置物としての太陽電池パネルＳＰを搭載することができる。
【００７０】
また、設置面Ｇの整地の必要がなく重機等も必要ないので、平地のみならず急な傾斜地においても、容易且つ迅速に、複数の支柱Ｐを設置面Ｇに立設して固定することができる。
【００７１】
第１及び第２実施形態の支柱固定方法では、図１及び図２に示す固定具１を用いて支柱Ｐを設置面Ｇに固定しているが、固定具としてはこれに限らず、特開２０１３−２２７７６７号に記載のものや、特開２０１３−８７４３１号に記載のものを使用することができる。
【００７２】
または、固定具１の代わりに、２本の単管を固定する際に用いられる公知の自在クランプを用いることも可能である。自在クランプは、一方の単管を保持する主単管保持部と、該主単管保持部に対して回動可能であって他方の単管を保持する副単管保持部とからなり、該主単管保持部に保持される単管と、該副単管保持部に保持される単管との交差角度を任意に設定することができる。
【００７３】
本実施形態の支柱固定方法において、２本の打込み杭Ｓを用いる場合には、まず、２組の自在クランプを用意する。
【００７４】
次に、設置面Ｇの支柱配置予定位置Ｘに支柱Ｐを軸方向が鉛直方向となるように立設する。そして、各支柱Ｐの上端Ｐｂをハンマー等で打って支柱Ｐの下部Ｐａを地中に埋設することにより、各支柱Ｐの上端Ｐｂを糸Ｌと同じ高さに揃える。
【００７５】
次に、各支柱Ｐについて、上端Ｐｂ側から自在クランプの主単管保持部を装着し、該自在クランプを支柱Ｐの下方に向かって移動させて設置面Ｇ上に配置する。そして、自在クランプを支柱Ｐを中心に回動させて、各副単管保持部を支柱Ｐの中心軸線に対して対称となるように配設する。このとき、前記副単管保持部は、打込み杭Ｓを打ち込み可能な角度に設定する。
【００７６】
次に、支柱Ｐと主単管保持部とを固定した後に、打込み杭Ｓを各副単管保持部を挿通させて地中に打ち込むことにより、自在クランプを設置面Ｇに対して固定する。
【００７７】
以上のようにすることにより、第１及び第２実施形態の支柱固定方法においては、固定具１に代えて自在クランプを用いても支柱Ｐを設置面Ｇに固定することができる。
【００７８】
なお、上記各実施形態では、支柱を鉛直方向に立設する場合の工法について説明しているが、これに限らず、支柱は任意の角度で立設してもよい。
【００７９】
また、上記各実施形態では、支柱Ｐは太陽電池パネルＳＰを設置するための支柱として説明したが、これに限らず、公園や施設等において雨除けの屋根を設置する場合の支柱や、ブドウ園等の果樹園のための支柱を設置する場合等、広く支柱を設置する際の工法に応用することができる。
【符号の説明】
【００８０】
１…固定具  ２…支柱保持部、  ３…杭保持部、  Ｇ…設置面、  Ｐ…支柱、  Ｐａ…支柱の下部、  Ｐｂ…支柱の上端、  Ｐｃ…支柱の下端、  Ｓ…打込み杭、  Ｘ…支柱配置予定位置。
【図１】
0006033806.tif 000002
【図２】
0006033806.tif 000003
【図３】
0006033806.tif 000004
【図４】
0006033806.tif 000005
【図５】
0006033806.tif 000006